(57)【要約】      （修正有）【課題】有害物質を含有する汚染土壌を収納するための土壌収納袋取り扱い方法及び、その支持用具を提供する。【解決手段】  土壌収納袋６を支持するための支持用具１の複数箇所に挿入孔が穿設され、該複数箇所の挿入孔にそれぞれピン５を挿入するとともに、該複数のピンに前記袋本体の開口部周縁に設けられた紐材９を掛止することによって該開口部を開口させた状態で前記袋本体を前記支持用具で支持し、次に前記開口部から前記袋本体内に土壌を収納し、その後、前記ピンを叩打して該ピンを前記挿入孔から抜き取り、前記紐材が前記ピンに掛止された状態を解除することによって、前記土壌収納袋を支持用具から取り外すことを特徴とする。【選択図】  図５
2007076686.tif 000002
【特許請求の範囲】
【請求項１】
土壌を収納することができる袋本体の開口部周縁に、該開口部を閉塞することのできる紐材が設けられた土壌収納袋の取り扱い方法であって、前記土壌収納袋を支持するための支持用具の複数箇所に挿入孔が穿設され、該複数箇所の挿入孔にそれぞれピンを挿入するとともに、該複数のピンに前記袋本体の開口部周縁に設けられた紐材を掛止することによって該開口部を開口させた状態で前記袋本体を前記支持用具で支持し、次に前記開口部から前記袋本体内に土壌を収納し、その後、前記ピンを叩打して該ピンを前記挿入孔から抜き取り、前記紐材が前記ピンに掛止された状態を解除することによって、前記土壌収納袋を支持用具から取り外すことを特徴とする土壌収納袋の取り扱い方法。
【請求項２】
支持用具が、複数の単管を組み立てて構成されたものである請求項１記載の土壌収納袋の取り扱い方法。
【請求項３】
複数のピンに紐材の一端側が取り付けられ、該紐材の他端側が支持用具に取り付けられている請求項１又は２記載の土壌収納袋の取り扱い方法。
【請求項４】
土壌が、有害物質を含有する汚染土壌である請求項１乃至３のいずれかに記載の土壌収納袋の取り扱い方法。
【請求項５】
土壌を収納することができる袋本体の開口部周縁に、該開口部を閉塞することのできる紐材が設けられた土壌収納袋を支持するための支持用具であって、複数箇所に挿入孔が穿設された支持用具本体と、該複数箇所の挿入孔にそれぞれ挿入可能なピンとからなり、該複数のピンを前記複数箇所の挿入孔にそれぞれ挿入し、該複数のピンに前記袋本体の開口部周縁に設けられた紐材を掛止することによって該開口部を開口させた状態で前記袋本体を支持することができるように構成されていることを特徴とする土壌収納袋の支持用具。
【請求項６】
支持用具本体が、複数の単管を組み立てて構成されたものである請求項５記載の土壌収納袋の支持用具。
【請求項７】
複数のピンに紐材の一端側が取り付けられ、該紐材の他端側が支持用具に取り付けられている請求項５又は６記載の土壌収納袋の支持用具。
【発明の詳細な説明】
【技術分野】
【０００１】
本発明は、土壌収納袋の取り扱い方法と、その取り扱い方法に用いる土壌収納袋の支持用具、特に、有害物質を含有する汚染土壌を処理するために、その汚染土壌を収納するための土壌収納袋を取り扱う方法と、そのような取り扱い方法において、土壌収納袋を支持するために用いる支持用具に関する。
【背景技術】
【０００２】
近年、土壌汚染の対策が重要な社会問題となっている。それは、単に土壌が汚染されているという文言上の問題にとどまらず、有害物質が土壌に含有されていることで環境破壊を招き、また生態系への影響が無視できない状態にまでなっているからである。
【０００３】
このような点に鑑み、土壌汚染対策法等も施行されており、ジクロロエタン、ジクロロエチレン、トリクロロエタン等の揮発性有機化合物、カドミウム、六価クロム、水銀、鉛等の重金属類、農薬やＰＣＢ等が、特定有害物質として指定されている。
【０００４】
現在でこそ、土壌からの溶出量には厳しい基準が設定されているが、そもそも土壌中に有害物質が含有されてこのような社会問題にまで発展したのは、使用できずに残存した有機溶剤や農薬類等が何十年も前に土中に埋設され、そのまま長年にわたって放置されてきたことが主な要因となっている。
【０００５】
一般に、このような汚染土壌を処理するために、複数の工程からなる産業プロセスが実施されているが、このような産業プロセスは、現場で回収されてきた汚染土壌を大量に処理するプロセスであり、その前提として現場で汚染土壌を回収する作業が必要となる。回収された土壌は袋体に収容され、上記のような大規模な産業用の処理プロセスに供給されることとなる。
【０００６】
そして、このように回収された土壌を収納する袋体を用いる技術として、たとえば下記特許文献１のような発明もなされている。特許文献１に係る発明は、防水性の層と通水性の層とを接合して形成したシート本体と、このシート本体の周辺に形成した複数の係合手段とを有する土壌の運搬処理シートに関するものであり、その
シート本体の１つとして袋体が用いられている。
【０００７】
【特許文献１】特開２００４−１４２５８９号公報
【０００８】
ただし、この特許文献１のような発明では、有害物質が含有された汚染土壌の危険性までは考慮されてはいない。すなわち、不用意に溶出した微量の有害物質が土壌に混在するような場合はまだしも、上述のように有害物質が土中に埋設され、そのまま長年にわたって放置されていた場合には、特定の場所に集中的に有害物質が検出される場合がある。そのような現場での汚染土壌の回収作業には作業員にとって危険を伴う場合がある。
【０００９】
このような汚染土壌が人体に接触するのを極力さける観点から、ショベルカー、フォークリフト、トラック、クレーン車等、土壌を掬って積載しうるような車輛を用い、そのような車輛で掬った土壌が袋体に収容される。このような技術として、下記特許文献２に示すような技術がある。すなわち特許文献２に係る発明は、フレキシブルコンテナーバッグ等の袋体に土壌を収容する際に、フレキシブルコンテナーバッグが柔軟なため、形態が不安定で扱いにくく、作業効率も悪いという問題を解決することを１つの課題としてなされたもので、土壌を収納したフレキシブルコンテナーバッグを容器に収容し、そのフレキシブルコンテナーバッグを容器とともに揺する加振工程と、このフレキシブルコンテナーバッグを土壌とともに容器内に押圧して整形する整形工程とを備えたフレキシブルコンテナーバッグの減量圧密方法に関するものである。
【００１０】
【特許文献２】特開２００３−３３４５０６号公報
【００１１】
しかし、特許文献２に係る発明では、一旦土壌がフレキシブルコンテナーバッグ内に収納されてしまえば、その後の加振工程や整形工程で土壌をバッグ内に好適に収納することができるが、このようなフレキシブルコンテナーバッグは、柔軟であるが故に開口部を開口させた状態に維持することは必ずしも容易ではなく、加振工程や整形工程で土壌をバッグ内に収納する前の段階でバッグの開口状態を維持させない限り、そもそもバッグ内への土壌の収納作業を容易に行なうことはできない。
この点、収納物が有害物質を含有する汚染土壌であるため、手作業で開口部を開口状態に維持するのは、安全性の面からも問題がある。
【００１２】
そこで本発明者等は、汚染土壌を収容するに際して、このような袋体の開口状態を維持するために、袋体の開口部周縁に紐材を締緩自在に取り付けるとともに、単管を方形状に組み立てて、その組み立てられた単管に前記袋体の開口部周縁の紐材を掛止し、その状態で上記のような車輛で掬った土壌が袋体に収容することを試みた。このような作業を行うに際して、袋体の開口状態を維持することも重要であるが、袋体の底部が地面に設置した状態で土壌を収容すると、土壌の重みによって袋体が弛むおそれがあるので、袋体の底部を地面から離間させた状態となるように、袋体の紐材を組み立てられた単管に掛止させる必要がある。このためには、袋体の上下方向の寸法を予め測定し、その袋体の上下方向の寸法を考慮した上で、単管を組み立てる必要がある。このような袋体と単管との相互的な寸法の調整はさほど困難なものではない。
【００１３】
しかしながら、上述のように開口状態が維持され、寸法調整等がなされて汚染土壌を袋体内に収容することができても、その後に煩雑且つ難解な作業が要求される。すなわち、組み立てられた単管に掛止された状態で汚染土壌が収容された袋体を、その単管から取り外さなければならない。この場合、作業の効率化の観点から、袋体はある程度の容積を有するように形成されており、従って、このような袋体に土壌が収容されると、その全体の重量は相当なものとなる。しかも開口状態を維持するために単管に掛止されている紐材は、袋体に土壌が収納された状態においては緊張状態となっており、その紐材には相当な張力が作用している。このため、このような重量の土壌入り袋体を単管から取り外す作業は容易ではない。
【００１４】
さらに、汚染土壌に含有されている上記のような有害物質が、袋体の開口部近辺や紐材等に付着しているおそれがあるため、この紐材等に直接手を触れる等は、作業者の安全を確保する観点から避けた方が好ましいことはいうまでもない。
【発明の開示】
【発明が解決しようとする課題】
【００１５】
本発明は、このような問題を解決するためになされたもので、上記のような単管等で組み立てられた土壌収納袋支持用の支持用具に、汚染土壌が収納された土壌収納袋を掛止した後、その支持用具から土壌収納袋を取り外す作業を非常に容易に且つワンタッチで行なうことのできる土壌収納袋の取り扱い方法と、その取り扱い方法に用いる土壌収納袋の支持用具を提供することを課題とする。
【課題を解決するための手段】
【００１６】
本発明は、このような課題を解決するために、土壌収納袋の取り扱い方法、及びその取り扱い方法に用いる土壌収納袋の支持用具としてなされたもので、土壌収納袋の取り扱い方法に係る請求項１記載の発明は、土壌を収納することができる袋本体の開口部周縁に、該開口部を閉塞することのできる紐材が設けられた土壌収納袋の取り扱い方法であって、前記土壌収納袋を支持するための支持用具の複数箇所に挿入孔が穿設され、該複数箇所の挿入孔にそれぞれピンを挿入するとともに、該複数のピンに前記袋本体の開口部周縁に設けられた紐材を掛止することによって該開口部を開口させた状態で前記袋本体を前記支持用具で支持し、次に前記開口部から前記袋本体内に土壌を収納し、その後、前記ピンを叩打して該ピンを前記挿入孔から抜き取り、前記紐材が前記ピンに掛止された状態を解除することによって、前記土壌収納袋を支持用具から取り外すことを特徴とする。
【００１７】
また請求項２記載の発明は、請求項１記載の土壌収納袋の取り扱い方法において、
支持用具が、複数の単管を組み立てて構成されたものであることを特徴とする。さらに請求項３記載の発明は、請求項１又は２記載の土壌収納袋の取り扱い方法において、複数のピンに紐材の一端側が取り付けられ、該紐材の他端側が支持用具に取り付けられていることを特徴とする。さらに請求項４記載の発明は、請求項１乃至３のいずれかに記載の土壌収納袋の取り扱い方法において、土壌が、有害物質を含有する汚染土壌であることを特徴とする。
【００１８】
さらに土壌収納袋の支持用具に係る請求項５記載の発明は、土壌を収納することができる袋本体の開口部周縁に、該開口部を閉塞することのできる紐材が設けられた土壌収納袋を支持するための支持用具であって、複数箇所に挿入孔が穿設された支持用具本体と、該複数箇所の挿入孔にそれぞれ挿入可能なピンとからなり、該複数のピンを前記複数箇所の挿入孔にそれぞれ挿入し、該複数のピンに前記袋本体の開口部周縁に設けられた紐材を掛止することによって該開口部を開口させた状態で前記袋本体を支持することができるように構成されていることを特徴とする。
【００１９】
さらに請求項６記載の発明は、請求項５記載の土壌収納袋の支持用具において、支持用具本体が、複数の単管を組み立てて構成されたものであることを特徴とする。さらに請求項７記載の発明は、請求項５又は６記載の土壌収納袋の支持用具において、複数のピンに紐材の一端側が取り付けられ、該紐材の他端側が支持用具に取り付けられていることを特徴とする。
【発明の効果】
【００２０】
本発明においては、上述のように、土壌収納袋を支持するための支持用具の複数箇所に挿入孔が穿設され、該複数箇所の挿入孔にそれぞれピンを挿入するとともに、該複数のピンに前記袋本体の開口部周縁に設けられた紐材を掛止することによって該開口部を開口させた状態で前記袋本体を前記支持用具で支持し、次に前記開口部から前記袋本体内に土壌を収納し、その後、前記ピンを叩打して該ピンを前記挿入孔から抜き取り、前記紐材が前記ピンに掛止された状態を解除することによって、前記土壌収納袋を支持用具から取り外す方法であるため、土壌が収納されて土壌収納袋の重量が重くなっており、しかも開口状態を維持するために単管に掛止されている紐材が緊張状態となって相当な張力が作用している状態であっても、たとえばハンマー等の叩打用具を用いてピンを叩打するというワンタッチの作業で、上記ピンを前記挿入孔から非常に容易に抜き取ることができ、紐材がピンに掛止された状態を容易に解除することができるので、重量のある土壌収納袋を支持用具から取り外す作業を非常に容易に行なうことができるという効果がある。
【００２１】
しかも、ハンマー等の叩打用具でピンを叩打するだけの作業で土壌収納袋を支持用具から取り外すことができるので、作業者は、土壌収納袋の袋本体の開口部周縁に設けられた紐材には一切手を触れることなく土壌収納袋の取り外し作業を行なうことができ、作業者の安全を確保することができるという効果がある。
【００２２】
さらに、土壌収納袋を支持する支持用具本体には挿入孔を穿設するだけの作業でたり、またその挿入孔に挿入可能なピンを支持用具本体とは別に準備するだけの作業で本発明を実施することができるので、これら支持用具本体やピンのみで構成される支持用具の構造も非常に簡易であり、複雑な装置を準備する必要もないので、コストの増大を招くことも一切ないのである。
【００２３】
また、支持用具が複数の単管を組み立てて構成されている場合には、支持用具が単管というフレームのみからなるので、上記ハンマー等の叩打用具でピンを叩打する作業を行なうに際して支持用具自体が作業の支障となることがないという利点がある。
【００２４】
さらに、複数のピンに紐材の一端側が取り付けられ、該紐材の他端側が支持用具に取り付けられている場合には、上記のような叩打用具でピンを叩打して挿入孔からピンが抜き取られ、或いは叩打力によってピンが遠方へ飛ばされようとしても、
挿入孔から抜き取られたピンには、支持用具に取り付けられている紐材に取り付いたままの状態になっているので、ピンのみが紛失するようなことも好適に防止されることとなる。
【発明を実施するための最良の形態】
【００２５】
以下、本発明の実施形態について図面に従って説明する。先ず、土壌収納袋の取り扱い方法に使用する土壌収納袋支持用の支持用具の実施形態について説明する。
本実施形態の土壌収納袋支持用の支持用具は、支持用具本体１と、複数（本実施形態では４本）の挿入ピン２とで構成されている。
【００２６】
支持用具本体１は、図１に示すように、複数の単管を方形状に組み立てて構成されたものである。より具体的に説明すると、支持用具本体１は、上部の水平方向に平面略正方形状となるように配置された４本の単管２ａ、２ｂ、２ｃ、２ｄと、該４本の単管２ａ、２ｂ、２ｃ、２ｄのうち、隣接する２本の単管の交差部分において垂直方向に配置された４本の単管２ｅ、２ｆ、２ｇ、２ｈと、該垂直方向に配置された４本の単管のうち、単管２ｅと単管２ｆとの中央部近辺、並びに単管２ｇと単管２ｈとの中央部近辺にそれぞれ架設されて対向するように配置された単管２ｉ、２ｊと、前記垂直方向に配置された４本の単管のうち、単管２ｅと単管２ｈとの下部に架設された単管２ｋとで構成されている。
【００２７】
そして、前記上部に配置された４本の単管２ａ、２ｂ、２ｃ、２ｄには、図１及び図２に示すように、それぞれ挿入孔３が穿設されている。
【００２８】
さらに、図１及び図２には示されていないが、前記４本の単管２ａ、２ｂ、２ｃ、２ｄには、前記挿入孔３から離間した位置に、紐材４が取り付けられている。より具体的には、図３に示すように、該紐材４の一端４ａ側が前記単管２ａ、２ｂ、２ｃ、２ｄに結着されることで取り付けられている。
【００２９】
さらに、前記紐材４の他端４ｂ側には、ピン５が取り付けられている。より具体的には、図３に示すように、紐材４の他端４ｂ側が、前記ピン５の頭部５ａと胴部５ｂとの境界部分に結着されることで取り付けられている。
【００３０】
そしてこのピン５は、支持用具の使用時には、図４に示すように単管２ａ、２ｂ、２ｃ、２ｄの挿入孔３に挿入されて、該ピン５の頭部５ａが前記単管２ａ、２ｂ、２ｃ、２ｄの表面にほぼ係止された状態とされている。
【００３１】
次に、上記のような構成からなる土壌収納袋支持用の支持用具を用いた、土壌収納袋の取り扱い方法の実施形態について説明する。
【００３２】
先ず、図５に示すように、フレキシブルコンテナーバッグからなる袋体６を支持用具本体１に取り付ける。この袋体６は、上部に開口部７を有する袋本体８と、該袋本体８の開口部７の周縁に締緩自在に取り付けられた紐材９とからなるものである。
【００３３】
袋体６の支持用具本体１への取り付けは、図５及び図６に示すように、単管２ａ、２ｂ、２ｃ、２ｄの挿入孔３に挿入されているピン５に、袋体６の紐材９を掛止することによって行なわれる。この場合、紐材９はピン５から不用意に落下することがないよう、図６に示すように、ピン５の胴部５ｂであって単管２ａ、２ｂ、２ｃ、２ｄの表面にできるだけ近い位置に掛止される。
【００３４】
この場合において、袋本体８内に土壌が収納されたときに、袋本体８の底部が地面に接触して袋本体８が弛むと、上記のように紐材９がピン５に掛止されていても、
開口部７の開口状態が維持されなくなるおそれがある。そこで、このようなおそれがないように、土壌が収納された状態においても袋本体８の底部が地面に接触せず、離間するように、袋本体８の寸法が予め設定されている。
【００３５】
次に、上記のように袋体６を支持用具本体１に取り付けた後、開口部７から袋本体８内に汚染土壌が収納される。この場合、汚染土壌は、ショベルカー、クレーン車等の車輛によって予め地面を掘削して掬われ、掬われた土壌がそのまま袋本体８内に収納されることとなる。図６には土壌１０の一部が袋本体８内に収納された状態が示されている。
【００３６】
このようにして土壌１０が袋本体８内に収納された後、図７に示すようにハンマー等の叩打用具１１で、ピン５の先端部５ｃを叩打する。これによって、同図に示すようにピン５は挿入孔３から外側に向かって抜き取られることとなる。
【００３７】
この場合において、袋体６の紐材９は、支持用具本体１を構成している単管２ａ、２ｂ、２ｃ、２ｄに直接取り付けられておらず、ピン５のみに掛止されているため、
上記のようにピン５が挿入孔３から外側に向かって、すなわち袋体６が位置していた側とは反対側に向かって抜き取られると、ピン５に掛止されていた袋体６の紐材９はピン５から離脱し、それによって袋体６は支持用具本体１から取り外されることとなる。
【００３８】
この場合において、土壌１０が収納された袋体６の重量は相当なものであり、また土壌１０が収納された状態においては袋体６の紐材９は緊張状態となっているため、紐材９には相当な荷重がかかっており、本来であれば紐材９のピン５への掛止状態を解除して袋体６を支持用具本体１から取り外す作業は容易に行なうことはできない。
【００３９】
しかしながら、上記のように叩打用具１１でピン５の先端部５ｃを叩打すると、紐材９にかかっている上下方向の荷重と直交する方向である水平方向に対して、上記叩打用具１１による一瞬の叩打力が作用するので、紐材９に相当な荷重がかかっているにもかかわらず、ピン５は挿入孔３から一瞬にして抜きとられて、紐材９がピン５から容易に離脱することとなるのである。
【００４０】
また、ピン５には紐材４が取り付けられ、その紐材４が単管２ａ、２ｂ、２ｃ、２ｄに取り付けられているので、上記のように叩打用具１１でピン５を叩打して挿入孔３からピン５が抜き取られ、叩打力によってピン５が遠方へ飛ばされようとしても、ピン５には、単管２ａ、２ｂ、２ｃ、２ｄに取り付けられた紐材４に取り付いたままの状態になっているので、ピン５のみが紛失するようなことも好適に防止されることとなるのである。
【００４１】
このように、本実施形態では、土壌が収納される前の袋体６の支持用具への取り付けは、支持用具本体１を構成する単管２ａ、２ｂ、２ｃ、２ｄの挿入孔３に挿入されたピン５に袋体６の紐材９を掛止することで行なうことができ、また土壌が収納された後の支持用具からの袋体６の取り外しは、上記のような叩打用具１１でピン５を叩打して挿入孔３からピン５が抜き取ることで行なうことができるので、作業者は、汚染土壌が付着しているおそれのある袋体６の開口部７の周縁部や紐材９には一切手を触れることなく、袋体６の支持用具からの取り外し作業を行なうことができるので、作業者の安全を確保することができる。
【００４２】
尚、上記実施形態では、上部の水平方向に配置された４本の単管２ａ、２ｂ、２ｃ、２ｄと、垂直方向に配置された４本の単管２ｅ、２ｆ、２ｇ、２ｈと、垂直方向の単管２ｅと単管２ｆとの中央部近辺、並びに単管２ｇと単管２ｈとの中央部近辺にそれぞれ架設された２本の単管２ｉ、２ｊと、垂直方向の単管２ｅと単管２ｈ
に架設された１本の単管２ｋとで支持用具本体１が構成されていたが、支持用具本体１を構成する単管の本数は該実施形態に限定されるものではなく、また単管の組み立てによって形成される支持用具本体１の形状も該実施形態に限定されるものではない。
【００４３】
また、上記実施形態のような単管で支持用具本体１を構成することで、叩打用具でピンを叩打する作業を行なうに際して支持用具自体が作業の支障となることがないという好ましい利点があるが、単管で支持用具本体１を構成することも本発明に必須の条件ではない。
【００４４】
さらに、上記実施形態では、ピン５に紐材４を取り付け、その紐材４を支持用具本体１を構成する単管に取り付けたため、上記のようにピン５の紛失を防止できるという好ましい効果が得られたが、ピン５に紐材４を取り付けることは本発明にお必須の条件ではない。
【００４５】
さらに、叩打用具１１の種類も、ハンマー等に限定されず、その種類は問わない。
【００４６】
さらに、ピン５の形状も上記実施形態の頭部５ａと胴部５ｂで構成された形状のものに限定されない。ただし、該実施形態のように頭部５ａが形成されたものであれば、挿入孔３からの不用意なピン５の抜き出しが防止されるという効果がある。
【００４７】
さらに、汚染土壌に含有される有害物質の種類も、ジクロロエタン、ジクロロエチレン、トリクロロエタン等の揮発性有機化合物、カドミウム、六価クロム、水銀、鉛等の重金属類、農薬やＰＣＢ等、その種類は問わない。
【００４８】
尚、本発明の土壌収納袋の取り扱い方法、及びその取り扱い方法に用いる土壌収納袋の支持用具は、上記のような汚染土壌に適用することを主眼とするものであるが、このような汚染土壌以外の、一般の土壌の収納用袋に適用することも可能である。
【図面の簡単な説明】
【００４９】
【図１】一実施形態としての支持用具の斜視図。
【図２】図１の支持用具を構成する単管の要部拡大側面図。
【図３】ピン及び紐材を取り付けた状態を示す単管の要部拡大側面図。
【図４】ピンを挿入孔に挿入した状態を示す単管の要部拡大側面図。
【図５】袋体を支持用具に取り付けた状態の斜視図。
【図６】ピンに紐材を掛止した状態の要部拡大平面図。
【図７】叩打用具でピンを叩打して挿入孔から抜き取る状態を示す要部拡大平面図。
【符号の説明】
【００５０】
１…支持用具本体          ３…挿入孔
４…紐材                  ５…ピン
６…袋体                  ９…紐材
１０…土壌
【図１】
2007076686.tif 000003
【図２】
2007076686.tif 000004
【図３】
2007076686.tif 000005
【図４】
2007076686.tif 000006
【図５】
2007076686.tif 000007
【図６】
2007076686.tif 000008
【図７】
2007076686.tif 000009